(57)【特許請求の範囲】
【請求項１】
表示部と、
前記表示部に表示されている画像を取得するスクリーンショット実行部と、
前記スクリーンショット実行部により取得された画像を記憶する記憶部と、
近距離通信により画像形成装置との間でデータ通信を行う近距離通信部と、
予め定められた条件の下で前記スクリーンショット実行部により画像が取得されて前記記憶部に記憶されると、この画像を前記近距離通信部から前記画像形成装置へと送信させる制御部と、を備え、
前記予め定められた条件とは、前記近距離通信部により前記画像形成装置から、前記スクリーンショット実行部による画像取得の実行要求が受け付けられたことであり、
前記制御部は、前記表示部にポップアップ画面を表示させているときには、前記スクリーンショット実行部による画像取得の実行要求が受け付けられた場合であっても、前記スクリーンショット実行部による画像取得を行わせない情報処理装置。
【請求項２】
前記近距離通信部は、無線通信によりデータ通信を行う請求項１に記載の情報処理装置。
【請求項３】
前記無線通信は、ＮＦＣ、Ｂｌｕｅｔｏｏｔｈ（登録商標）通信、又はＷｉ−Ｆｉのいずれかの通信方式による無線通信である請求項２に記載の情報処理装置。
【請求項４】
情報処理装置及び画像形成装置を備える印刷システムであって、
前記情報処理装置は、表示部と、前記表示部に表示されている画像を取得するスクリーンショット実行部と、前記スクリーンショット実行部により取得された画像を記憶する記憶部と、近距離通信により画像形成装置との間でデータ通信を行う近距離通信部と、予め定められた条件の下で前記スクリーンショット実行部により画像が取得されて前記記憶部に記憶されると、この画像を前記近距離通信部から前記画像形成装置へと送信させる制御部とを備え、
前記画像形成装置は、第２表示部と、近距離通信により前記情報処理装置との間でデータ通信を行う第２近距離通信部と、記録媒体に画像を形成する画像形成部と、前記画像形成装置の動作を制御する第２制御部とを備え、
前記画像形成装置の前記第２制御部は、前記第２近距離通信部により前記情報処理装置との間でデータ通信が可能な状態になると、スクリーンショット実行要求を前記第２近距離通信部から前記情報処理装置に送信させ、前記スクリーンショット実行要求に応答して前記情報処理装置から送信された画像が前記第２近距離通信部で受信されると、前記画像形成部により前記画像を記録紙に印刷させ、
前記情報処理装置の前記制御部は、前記画像形成装置から送信された前記スクリーンショット実行要求が前記近距離通信部で受信されると、前記スクリーンショット実行部により前記表示部に表示されている画像を取得させて、この画像を前記近距離通信部から前記画像形成装置に送信させ、
ユーザーからの指示を受け付ける操作部を更に備え、
前記情報処理装置の前記制御部は、前記スクリーンショット実行要求が前記近距離通信部で受信されると、前記スクリーンショット実行部により取り込まれた画像を印刷するか否かを前記表示部に表示させ、前記操作部により前記画像を印刷させる印刷指示が受け付けられた場合に、前記画像を前記近距離通信部から前記画像形成装置に送信させる印刷システム。
【請求項５】
前記画像形成装置の前記第２制御部は、前記スクリーンショット実行要求を送信しても、前記情報処理装置から送信された画像が前記第２近距離通信部で受信されない状態で、前記第２近距離通信部による受信レベルが予め設定された閾値以上になると、スクリーンショット決定指示を前記第２近距離通信部から前記情報処理装置に送信させ、前記スクリーンショット決定指示に応答して前記情報処理装置から送信された画像が前記第２近距離通信部で受信されると、前記画像形成部により前記画像を記録紙に印刷させ、
前記情報処理装置の前記制御部は、前記操作部により前記画像の印刷が指示されなかった場合、前記スクリーンショット決定指示が前記近距離通信部で受信されたときに、前記スクリーンショット実行部により取り込まれた画像を前記近距離通信部から前記画像形成装置に向けて送信させる請求項４に記載の印刷システム。
【請求項６】
前記情報処理装置の前記制御部は、前記画像形成装置への前記画像の送信についての進捗状況を前記表示部に表示させる請求項４または請求項５に記載の印刷システム。
【請求項７】
前記画像形成装置の第２制御部は、前記情報処理装置からの前記画像の受信についての進捗状況を前記第２表示部に表示させる請求項４乃至請求項６のいずれかに記載の印刷システム。
【発明の詳細な説明】
【技術分野】
【０００１】
本発明は、表示部に表示されている画像をスクリーンショットにより取り込む情報処理装置、及びその情報処理装置と画像形成装置から構成される印刷システムに関し、特にスクリーンショットにより取り込まれた画像を印刷するための技術に関する。
【背景技術】
【０００２】
スマートフォンなどの携帯端末装置としては、画像を無線通信により画像形成装置へと送信するものがあり、この画像形成装置によりその画像が受信されて記録紙に印刷される。
【０００３】
例えば、特許文献１及び特許文献２では、携帯端末が画像形成装置の無線通信部のアドレスを非接触で読み取り、携帯端末の無線通信部がそのアドレスを用いて画像形成装置の無線通信部へと画像データを送信し、画像形成装置が該画像データに対応する画像を記録紙に印刷している。
【先行技術文献】
【特許文献】
【０００４】
【特許文献１】特許５４８５４６１号公報
【特許文献２】特許５７１８４４４号公報
【発明の概要】
【発明が解決しようとする課題】
【０００５】
ところで、携帯端末装置には、表示部に画像が表示されている状態で所定の操作が行われると、該画像を取り込んで記憶部に記憶するというスクリーンショットの機能を備えるものがある。このスクリーンショットにより取り込まれた画像を、携帯端末から画像形成装置に送信して印刷することができたならば、携帯端末の利便性が向上する。しかしながら、上記特許文献１、２では、スクリーンショットにより取り込まれた画像を容易かつ速やかに印刷する技術の記載がない。
【０００６】
本発明は、上記の事情に鑑みなされたものであり、スクリーンショットにより情報処理装置に取り込まれた画像を容易かつ速やかに印刷可能にすることを目的とする。
【課題を解決するための手段】
【０００７】
本発明の一局面にかかる情報処理装置は、表示部と、前記表示部に表示されている画像を取得するスクリーンショット実行部と、前記スクリーンショット実行部により取得された画像を記憶する記憶部と、近距離通信により画像形成装置との間でデータ通信を行う近距離通信部と、予め定められた条件の下で前記スクリーンショット実行部により画像が取得されて前記記憶部に記憶されると、この画像を前記近距離通信部から前記画像形成装置へと送信させる制御部と、を備え、前記予め定められた条件とは、前記近距離通信部により前記画像形成装置から、前記スクリーンショット実行部による画像取得の実行要求が受け付けられたことであり、前記制御部は、前記表示部にポップアップ画面を表示させているときには、前記スクリーンショット実行部による画像取得の実行要求が受け付けられた場合であっても、前記スクリーンショット実行部による画像取得を行わせないものである。
【０００８】
また、本発明の一局面にかかる印刷システムは、情報処理装置及び画像形成装置を備える印刷システムであって、前記情報処理装置は、表示部と、前記表示部に表示されている画像を取得するスクリーンショット実行部と、前記スクリーンショット実行部により取得された画像を記憶する記憶部と、近距離通信により画像形成装置との間でデータ通信を行う近距離通信部と、予め定められた条件の下で前記スクリーンショット実行部により画像が取得されて前記記憶部に記憶されると、この画像を前記近距離通信部から前記画像形成装置へと送信させる制御部とを備え、前記画像形成装置は、第２表示部と、近距離通信に
より前記情報処理装置との間でデータ通信を行う第２近距離通信部と、記録媒体に画像を形成する画像形成部と、前記画像形成装置の動作を制御する第２制御部とを備え、前記画像形成装置の前記第２制御部は、前記第２近距離通信部により前記情報処理装置との間でデータ通信が可能な状態になると、スクリーンショット実行要求を前記第２近距離通信部から前記情報処理装置に送信させ、前記スクリーンショット実行要求に応答して前記情報処理装置から送信された画像が前記第２近距離通信部で受信されると、前記画像形成部により前記画像を記録紙に印刷させ、前記情報処理装置の前記制御部は、前記画像形成装置から送信された前記スクリーンショット実行要求が前記近距離通信部で受信されると、前記スクリーンショット実行部により前記表示部に表示されている画像を取得させて、この画像を前記近距離通信部から前記画像形成装置に送信させ、ユーザーからの指示を受け付ける操作部を更に備え、前記情報処理装置の前記制御部は、前記スクリーンショット実行要求が前記近距離通信部で受信されると、前記スクリーンショット実行部により取り込まれた画像を印刷するか否かを前記表示部に表示させ、前記操作部により前記画像を印刷させる印刷指示が受け付けられた場合に、前記画像を前記近距離通信部から前記画像形成装置に送信させるものである。
【発明の効果】
【０００９】
本発明によれば、スクリーンショットにより情報処理装置に取り込まれた画像を容易かつ速やかに印刷することができる。
【図面の簡単な説明】
【００１０】
【図１】本発明の第１実施形態の印刷システムにおける情報処理装置の外観及び画像形成装置の外観を示す斜視図である。
【図２】第１実施形態の印刷システムにおける情報処理装置の構成及び画像形成装置の構成を示すブロック図である。
【図３Ａ】第１実施形態におけるスクリーンショットにより取り込まれた画像を印刷するための情報処理装置による処理手順を示すフローチャートである。
【図３Ｂ】第１実施形態におけるスクリーンショットにより取り込まれた画像を印刷するための情報処理装置による処理手順の他の実施形態を示すフローチャートである。
【図４】画像形成装置の操作部及び表示部を示す平面図である。
【図５】第２実施形態におけるスクリーンショットにより取り込まれた画像を印刷するための情報処理装置による処理手順を示すフローチャートである。
【図６】第２実施形態の情報処理装置の表示部に表示されているメッセージ、ＯＫキー、及びＮＧキーを示す図である。
【図７】（ａ）〜（ｃ）は、第２実施形態の情報処理装置からの画像データの送信に際し、情報処理装置の表示部に表示される画像の変化を示す図である。
【図８】（ａ）〜（ｃ）は、第２実施形態の画像形成装置での画像データの受信に際し、画像形成装置の表示部に表示される画像の変化を示す図である。
【図９】第２実施形態におけるスクリーンショットにより取り込まれた画像を印刷するための情報処理装置による処理手順のタッチパネル機能の実施形態を示すフローチャートである。
【発明を実施するための形態】
【００１１】
以下、本発明の実施形態にかかる情報処理装置及び印刷システムについて図面を参照して説明する。
＜第１実施形態＞
【００１２】
図１は、本発明の第１実施形態に係る印刷システムにおける情報処理装置の外観及び画像形成装置の外観を示す斜視図である。図２は、第１実施形態の印刷システムにおける情報処理装置及び画像形成装置の各構成を示すブロック図である。
【００１３】
第１実施形態の印刷システムＳｙにおいて、情報処理装置１０は、例えば、スマートフォンなどの携帯端末装置であって、表示部１１と、タッチパネル１２と、物理キー（オンキー２６、スクリーンショットキー２７）と、ネットワーク通信部１３と、記憶部１４と、近距離通信部１５と、制御ユニット１６とを備えている。これらの構成要素は、互いにバスを通じてデータ又は信号の送受信が可能とされている。
【００１４】
表示部１１は、液晶ディスプレイ（ＬＣＤ：Liquid Crystal Display）や有機ＥＬ（ＯＬＥＤ：Organic Light-Emitting Diode）などから構成される。図１に示すように表示部１１の画面には、例えば複数のアイコンを含む画面が表示される。
【００１５】
タッチパネル１２は、所謂抵抗膜方式や静電容量方式等のタッチパネルである。タッチパネル１２は、表示部１１の画面に配置され、表示部１１の画面上のアイコンに対する指などの接触をその接触位置と共に検知する。タッチパネル１２は、指などの接触を検知すると、その接触位置の座標を示す検知信号を制御ユニット１６の後述する制御部２１等に出力する。このように、タッチパネル１２は、表示部１１の画面に対するユーザー操作が入力される操作部としての役割を果たす。
【００１６】
なお、タッチパネル１２には、操作画面への直接の接触がなくても、ユーザーの指などが操作画面に対して一定距離まで接近した場合に当該指などを検出するタッチパネルも含まれる。このため、本実施形態でいう「接触」には、操作画面への接触がなくても指などが上記一定距離まで接近したことがタッチパネル１２の機能により検出される状態も、実質的に接触したとして含まれるものとする。
【００１７】
また、情報処理装置１０は、ユーザー操作が入力される操作部として、上記のタッチパネル１２に加えて物理キーを備えている。この物理キーには、例えば、オンキー２６、スクリーンショットキー２７などがある。オンキー２６及びスクリーンショットキー２７も操作部として、ユーザーからの操作指示を受け付け、制御部２１等に出力する。
【００１８】
ネットワーク通信部（ＮＷ通信部）１３は、不図示のＬＡＮチップなどの通信モジュールを備える通信インターフェイスである。情報処理装置１０は、ネットワークを介してＰＣ（Personal Computer）やサーバなどの他の情報処理装置と接続され、ネットワーク通信部１３により接続されたＰＣやサーバとの間でデータの送受信を行う。
【００１９】
また、近距離通信部１５は、例えばブルートゥース（Ｂｌｕｅｔｏｏｔｈ：登録商標）やＷｉ−Ｆｉ、更にはＮＦＣ（Near Field Communication）などの近距離通信方式による通信インターフェイスである。情報処理装置１０は、近距離通信部１５を通じて画像形成装置３０などに接続され、画像形成装置３０などとの間でデータの送受信を行う。本実施形態では、近距離通信部１５は、ＮＦＣの近距離通信方式によるものとする。
【００２０】
記憶部１４は、不揮発性メモリー等からなる大容量の記憶装置である。
【００２１】
制御ユニット１６は、プロセッサー、ＲＡＭ（Random Access Memory）、及びＲＯＭ（Read Only Memory）等から構成される。プロセッサーは、ＣＰＵ(Central Processing Unit)、ＭＣＵ、又はＡＳＩＣである。制御ユニット１６は、上記記憶部１４等に記憶された制御プログラムが上記プロセッサーにより実行されることで、制御部２１、通信制御部２４、スクリーンショット実行部２５として機能する。なお、制御ユニット１６の上記の各構成要素は、前述の制御プログラムに基づく動作によらず、それぞれハード回路により構成されてもよい。
【００２２】
制御部２１は、情報処理装置１０の全体的な動作制御を司る。制御部２１は、表示部１１、タッチパネル１２、物理キー２６，２７、ネットワーク通信部１３、及び記憶部１４などと接続されており、接続されている上記各構成要素の動作制御や、各構成要素との間での信号またはデータの送受信を行う。また、制御部２１は、表示部１１の表示動作を制御する。
【００２３】
また、制御部２１は、タッチパネル１２から出力される検知信号あるいはオンキー２６、スクリーンショットキー２７の操作に基づき、ユーザーにより入力された操作指示を受け付ける。
【００２４】
さらに、制御部２１は、受け付けた上記操作指示に応じた処理を実行する。例えば、ユーザーによりタッチパネル１２を通じて表示部１１の画面に表示されているアイコンに対するタッチ操作が検知されると、制御部２１は、当該アイコンに対応付けられた機能の実行指示を受け付けて、当該機能を実行する。例えば、メール機能がアイコンＡ１に対応付けられていたならば、制御部２１は、記憶部１４などに記憶されているメールプログラムに従った動作により当該メール機能を実行する。
【００２５】
通信制御部２４は、ネットワーク通信部１３及び近距離通信部１５の通信動作を制御する機能を有する。記憶部１４は、上記制御プログラムや各種のアプリケーション、種々の情報等を記憶している。
【００２６】
スクリーンショット実行部２５は、制御部２１によりオンキー２６及びスクリーンショットキー２７の同時操作が受け付けられるか、あるいは予め定められた条件が満たされると、表示部１１の画面に表示されている画像を示す画像データを取り込んで、この画像データを記憶部１４に記憶させる。要するに、スクリーンショット実行部２５は所謂スクリーンショットを実行する。
【００２７】
一方、第１実施形態の印刷システムＳｙにおいて、画像形成装置３０は、制御ユニット３１と、表示部３２と、操作部３４と、ネットワーク通信部３５と、近距離通信部３６と、画像読取部３７と、画像形成部３８と、記憶部３９とを備えている。これらの構成要素は、互いにバスを通じてデータ又は信号の送受信が可能とされている。
【００２８】
制御ユニット３１は、プロセッサー、ＲＡＭ、及びＲＯＭ等から構成され、制御部４１及び通信制御部４４として機能する。プロセッサーは、ＣＰＵ(Central Processing Unit)、ＭＣＵ、又はＡＳＩＣである。制御ユニット３１は、記憶部３９等に記憶された制御プログラムが上記プロセッサーにより実行されることで、制御部４１及び通信制御部４４として機能する。なお、制御ユニット３１の上記の各構成要素は、前述の制御プログラムに基づく動作によらず、それぞれハード回路により構成されてもよい。制御部４１は、画像形成装置３０を統括的に制御する。
【００２９】
操作部３４は、複数のハードキーや表示部３２の画面に重ねられたタッチパネル等からなり、利用者により操作されて、画像形成動作及び画像読取動作等の実行指示などを出力し、これが制御部４１で受け付けられる。
【００３０】
表示部３２は、制御部４１により制御されて、アプリケーションプログラムの実行に伴う画面、より具体的には画像形成処理に必要な設定項目の入力画面、あるいは情報の入力画面などを表示する。
【００３１】
ネットワーク通信部３５は、通信制御部４４により制御され、ネットワークを通じてＰＣやサーバとの間で各種のデータを送受信する。近距離通信部３６は、通信制御部４４により制御され、例えばブルートゥース・ロー・エネルギーや、更にはＮＦＣなどの近距離通信により情報処理装置１０との間で各種のデータを送受信する。記憶部３９は、上記制御プログラムや各種のアプリケーション、種々の情報等を記憶している。
【００３２】
画像読取部３７は、コンタクトガラスに載置された原稿を光学的に読み取るスキャナーを有し、この原稿の画像を示す画像データを生成する。
【００３３】
画像形成部３８は、感光体ドラム、感光体ドラムの表面を均一帯電させる帯電装置、感光体ドラムの表面を露光して、感光体ドラムの表面に静電潜像を形成する露光装置、感光体ドラムの表面の静電潜像をトナー像に現像する現像装置、及び感光体ドラムの表面のトナー像（画像）を記録媒体としての記録紙に転写する転写装置等を備える。画像形成部３８は、情報処理装置１０等から受信した画像データによって示される画像や画像読取部３７により生成された画像データによって示される画像を記録紙に印刷する。
【００３４】
このような構成の印刷システムＳｙにおいて、情報処理装置１０の近距離通信部１５及び画像形成装置３０の近距離通信部３６は、常時動作状態にある。そして、情報処理装置１０が画像形成装置３０に対してＮＦＣによる送信可能範囲（例えば、10cm）に入ったとき、例えば、画像形成装置３０において近距離通信部３６との通信が可能とされる特定部分（例えば、操作部３４）に、情報処理装置１０が接触するまで接近したときには、各近距離通信部１５、３６の間で規定のプロトコル及びプロファイルに基づく相互通信が開始され、情報処理装置１０と画像形成装置３０の間で近距離通信可能な状態となる。
【００３５】
第１実施形態では、情報処理装置１０と画像形成装置３０の間で近距離通信可能な状態になると、画像形成装置３０の制御部４１が近距離通信部３６からスクリーンショットの実行要求及び画像形成装置３０の固定識別情報（ＭＡＣアドレスなど）を情報処理装置１０に対して送信し、情報処理装置１０の近距離通信部１５が当該スクリーンショットの実行要求等を受信する。この受信に応じて、情報処理装置１０のスクリーンショット実行部２５は、表示部１１の画面に表示されている画像を取得し、この画像を近距離通信部１５が、上記固定識別情報が示す画像形成装置３０に向けて送信する。画像形成装置３０では、画像が近距離通信部３６で受信されると、制御部４１が、当該画像を画像形成部３８により記録紙に印刷させる。このため、スクリーンショットにより取り込まれた画像が容易かつ速やかに印刷される。
【００３６】
次に、第１実施形態におけるスクリーンショットにより取り込まれた画像を印刷するための情報処理装置１０による処理手順を、図３Ａに示すフローチャートに従って説明する。
【００３７】
ここで、画像形成装置３０の表示部３２の画面には、図４に示すようにそれぞれの機能に対応付けられた複数のタッチキー５１ａ〜５１ｈ等が表示されているものとする。この状態で、スクリーンショットに対応するタッチキー５１ｈがタッチ操作されると、操作部３４のタッチパネルによりタッチキー５１ｈに対するタッチ操作が検知されると、制御部４１が、スクリーンショットにより得られた画像を印刷するための機能を起動させて、情報処理装置１０との間で近距離通信が可能な状態となるのを待機する。
【００３８】
一方、情報処理装置１０が動作中であって、表示部１１の画面に画像が表示さているものとする（ステップＳ１０１）。このとき、情報処理装置１０のユーザーが画像形成装置３０に接近して、情報処理装置１０の近距離通信部１５と画像形成装置３０の近距離通信部３６の間で近距離通信可能な状態になると、例えば、ユーザーが情報処理装置１０を画像形成装置３０の操作部３４に接触させると、画像形成装置３０の通信制御部４４は、スクリーンショットの実行要求を、該画像形成装置３０の固定識別情報（ＭＡＣアドレスなど）と共に近距離通信部３６から送信する。
【００３９】
情報処理装置１０では、スクリーンショット実行要求及び画像形成装置３０の固定識別情報が近距離通信部１５で受信されると（ステップＳ１０２）、制御部２１がスクリーンショット実行部２５を起動させる。スクリーンショット実行部２５は、スクリーンショットを実行し、表示部１１の画面に表示されている画像を示す画像データを取得して、この画像データを記憶部１４に記憶する（ステップＳ１０３）。そして、通信制御部２４は、上記固定識別情報を用いて、送信先となる画像形成装置３０を特定し、当該画像データを近距離通信部１５から、特定した画像形成装置３０へと送信する（ステップＳ１０４）。
【００４０】
画像形成装置３０では、その画像データが近距離通信部３６で受信されると、この画像データが画像形成部３８に入力される。画像形成部３８は、該画像データによって示される画像を記録紙に印刷する。
【００４１】
このように第１実施形態では、画像形成装置３０の表示部３２の画面に表示されているタッチキー５１ｈがタッチ操作されて、スクリーンショットにより得られた画像を印刷するための機能が起動されていると、情報処理装置１０のユーザーが画像形成装置３０に接近して、情報処理装置１０と画像形成装置３０の間で近距離通信可能な状態になったときに、画像形成装置３０から情報処理装置１０へとスクリーンショット実行要求が送受信され、これに応答して情報処理装置１０でスクリーンショットが実行されて、スクリーンショットにより取り込まれた画像が情報処理装置１０から画像形成装置３０へと送信され、画像が記録紙に印刷される。このため、煩わしい操作を行うことなく、情報処理装置１０のスクリーンショットにより取り込まれた画像を印刷することができる。
【００４２】
また、第１実施形態の情報処理装置１０では、スクリーンショット実行要求を受信すると、スクリーンショットを直ちに実行しているが、図３Ｂにフローチャートで示すように、ポップアップ画面が表示部１１の画面に表示されているときには（Ｓ１１０でＹＥＳ）、スクリーンショットを禁止して処理を終了するようにしてもよい。なお、図３Ｂに示す処理は、Ｓ１１０以外は図３Ａに示したフローチャートと同様である。
【００４３】
例えば、制御部２１は、表示部１１の画面にブラウザのウィンドウを表示すると共にポップアップ画面を該ウィンドウに重ねて表示するという表示制御を行っているときにスクリーンショット実行要求を受信すると、スクリーンショット実行部２５によるスクリーンショットの実行を禁止する。これにより、ポップアップ画面が重ねて表示されたウィンドウ等の画像が印刷されずに済む。
＜第２実施形態＞
【００４４】
次に、本発明の第２実施形態の印刷システムについて説明する。第２実施形態の印刷システムにおける情報処理装置及び画像形成装置は、第１実施形態と同様に、図１及び図２に示す外観及び内部構成を有している。
【００４５】
この第２実施形態の情報処理装置１０では、画像形成装置３０から送信されたスクリーンショット実行要求を受信すると、スクリーンショットにより取り込まれた画像の印刷が可能であることを示唆するメッセージ、ＯＫキー、及びＮＧキーを表示部１１の画面に表示し、ユーザーが、そのメッセージを見て、ＯＫキーを操作したときに、スクリーンショット実行部２５によりスクリーンショットを実行する。また、ユーザーがＮＧキーを操作した場合は、スクリーンショットを直ちに実行せず、情報処理装置１０が画像形成装置３０に十分に接近するまで待機し、十分に接近したときにスクリーンショットを実行している。
【００４６】
次に、第２実施形態におけるスクリーンショットにより取り込まれた画像を印刷するための情報処理装置１０による処理手順を、図５に示すフローチャートに従って説明する。
【００４７】
まず、図４において、画像形成装置３０の表示部３２の画面に表示されているスクリーンショットに対応するタッチキー５１ｈがタッチ操作されて、このタッチ操作が受け付けられると、制御部４１が、スクリーンショットにより得られた画像を印刷するための機能を起動して、情報処理装置１０との間で近距離通信が可能な状態となるのを待機しているものとする。
【００４８】
また、情報処理装置１０が動作中であって、表示部１１の画面に画像が表示さているものとする（ステップＳ２０１）。このとき、情報処理装置１０のユーザーが画像形成装置３０に接近して、情報処理装置１０の近距離通信部１５と画像形成装置３０の近距離通信部３６の間でデータ通信状態となると、画像形成装置３０の通信制御部４４は、スクリーンショット実行要求を該画像形成装置３０の固定識別情報（ＭＡＣアドレスなど）と共に近距離通信部３６から送信する。
【００４９】
情報処理装置１０では、スクリーンショット実行要求及び画像形成装置３０の固定識別情報が近距離通信部１５で受信されると（ステップＳ２０２）、制御部２１は、スクリーンショットにより取り込まれた画像の印刷が可能であることを示唆するメッセージを表示部１１の画面に表示する（ステップＳ２０３）。例えば、制御部２１は、図６に示すように、表示部１１の画面にメッセージＭａを表示させる。このとき、制御部２１は、表示部１１の画面に、ＯＫキー６１及びＮＧキー６２を示す画像を表示させる。
【００５０】
そして、情報処理装置１０のユーザーがＯＫキー６１をタッチ操作し、タッチパネル１２により当該タッチ操作が検知され、これに基づいて、制御部２１が、印刷実行指示を受け付けると（ステップＳ２０４で「ＯＫ」）、制御部２１は、表示部１１の画面上のメッセージＭａ、ＯＫキー６１、及びＮＧキー６２の画像を非表示にして、スクリーンショットにより取り込まれるべき画像のみを表示する（ステップＳ２０５）。
【００５１】
さらに、制御部２１は、スクリーンショット実行部２５を起動させる。スクリーンショット実行部２５は、スクリーンショットを実行し、表示部１１の画面に表示されている画像を示す画像データを取得して、この画像データを記憶部１４に記憶する（ステップＳ２０６）。そして、通信制御部２４は、画像形成装置３０の固定識別情報を用いて、その画像データを近距離通信部１５から画像形成装置３０へと送信する（ステップＳ２０７）。
【００５２】
この画像データの送信に際し、制御部２１は、図７（ａ）〜（ｃ）に示すようにスクリーンショットにより取り込まれた画像Ｇを表示部１１の画面上で上方に移動させて、画像Ｇを表示部１１の画面から徐々に消去させる。これにより、画像Ｇの送信状態を情報処理装置１０のユーザーに知らせることができる。
【００５３】
画像形成装置３０では、その画像データが近距離通信部３６で受信されると、この画像データが画像形成部３８に入力される。画像形成部３８は、該画像データによって示される画像を記録紙に印刷する。
【００５４】
この画像データの受信及び印刷に際し、制御部４１は、図８（ａ）〜（ｃ）に示すように受信した画像Ｇを表示部１１の画面に下方から徐々に出現させて、画像Ｇを表示部１１の画面に表示する。これにより、画像Ｇの受信状態を画像形成装置３０の周囲に知らせることができる。
【００５５】
また、情報処理装置１０のユーザーがＮＧキー６２をタッチ操作して、タッチパネル１２により当該タッチ操作が検知され、制御部２１が、印刷不許可指示を受け付けると（ステップＳ２０４で「ＮＧ」）、制御部２１は、表示部１１の画面上のメッセージＭａ、ＯＫキー６１、及びＮＧキー６２の画像を非表示として（ステップＳ２０８）、処理を終了する。
【００５６】
このように第２実施形態では、画像形成装置３０側でスクリーンショットにより得られた画像を印刷するための機能が起動されていると、情報処理装置１０と画像形成装置３０の間で近距離通信可能になったときに、画像形成装置３０から情報処理装置１０へとスクリーンショット実行要求が送受信され、これに応答して情報処理装置１０の表示部１１の画面に、スクリーンショットにより取り込まれた画像の印刷が可能であることを示唆するメッセージＭａ、ＯＫキー６１、及びＮＧキー６２が表示され、ユーザーが、そのメッセージＭａを見て、ＯＫキー６１を操作すると、スクリーンショットが実行されて、スクリーンショットにより取り込まれた画像が情報処理装置１０から画像形成装置３０へと送受信され、画像が記録紙に印刷される。
【００５７】
なお、第２実施形態では、更に図９にフローチャートで示すような処理を行ってもよい。図９は、第２実施形態におけるスクリーンショットにより取り込まれた画像を印刷するための情報処理装置による処理手順の更に他の実施形態を示すフローチャートである。以下に示す処理は、情報処理装置１０及び画像形成装置３０間の近距離通信が、ブルートゥース（登録商標）又はＷｉ−Ｆｉにより行われる場合に有効である。なお、図９においては、Ｓ２０９〜Ｓ２１１以外の処理は、図５に示した処理と同様である。
【００５８】
制御部２１は、表示部１１の画面上のメッセージＭａ、ＯＫキー６１、及びＮＧキー６２の画像を非表示としたとき（ステップＳ２０８）、スクリーンショット実行部２５を起動させることはなく、画像形成装置３０から送信されるスクリーンショット決定指示が近距離通信部１５で受信されるのを待機する（ステップＳ２０９）。
【００５９】
このとき、画像形成装置３０の通信制御部４４は、近距離通信部３６での受信レベルを監視し、この受信レベルが予め定められた閾値以上（例えば情報処理装置１０からの通信出力が予め定められた値以上）になると、スクリーンショット決定指示を該画像形成装置３０の固定識別情報と共に近距離通信部３６から送信する。すなわち、情報処理装置１０が画像形成装置３０に更に十分に接近したときに、スクリーンショット決定指示等が送信される。
【００６０】
情報処理装置１０では、スクリーンショット決定指示及び画像形成装置３０の固定識別情報が近距離通信部１５で受信されると（ステップＳ２１０で「Ｙｅｓ」）、制御部２１によりスクリーンショット実行部２５が起動され、スクリーンショット実行部２５によりスクリーンショットが実行されて、表示部１１の画面に表示されている画像を示す画像データが取得され、記憶部１４に記憶される（ステップＳ２０６）。
【００６１】
そして、通信制御部２４は、画像形成装置３０の固定識別情報を用いて特定した画像形成装置３０に対して、その画像データを近距離通信部１５から送信する（ステップＳ２０７）。このときにも、図７（ａ）〜（ｃ）に示すような表示制御が行われて、画像Ｇの送信状態が表示される。
【００６２】
画像形成装置３０では、その画像データが近距離通信部３６で受信されて、画像形成部３８が、該画像データによって示される画像を記録紙に印刷する。このときにも、図８（ａ）〜（ｃ）に示すような表示制御が行われて、画像Ｇの受信状態が表示される。
【００６３】
また、情報処理装置１０では、スクリーンショット決定指示及び画像形成装置３０の固定識別情報が近距離通信部１５で受信されることなく（ステップＳ２１０で「Ｎｏ」）、近距離通信部１５による画像形成装置３０との間の通信が中断すると（ステップＳ２１１で「Ｙｅｓ」）、つまり情報処理装置１０が画像形成装置３０との通信可能範囲から外れ、画像形成装置３０から遠く離れると、図９の処理を終了する。
【００６４】
このような更なる他の実施形態によれば、ユーザーがＮＧキー６２を操作しても、情報処理装置１０が画像形成装置３０に更に接近したときには、画像形成装置３０から情報処理装置１０へとスクリーンショット決定指示が送受信され、これに応答して情報処理装置１０でスクリーンショットが実行されて、スクリーンショットにより取り込まれた画像が情報処理装置１０から画像形成装置３０へと送受信され、画像が記録紙に印刷される。このため、例えば、ユーザーが、画像形成装置３０から離れた位置にいて、この時点ではスクリーンショットの印刷を望まない場合であっても、ユーザーが更に画像形成装置３０に近付いて、画像形成装置３０により印刷された印刷物を手に取りやすい状況になったときは、情報処理装置１０及び画像形成装置３０によりスクリーンショットの印刷物を直ちにユーザーに提供することが可能になる。
【００６５】
また、上記実施形態では、本発明に係る電子機器の一例として、画像形成装置を用いて説明しているが、これは一例に過ぎず、本発明に係る電子機器は、タッチパネル機能を有する表示部を備えた、モバイル機器、医療機器、券売機等といった機器でもよい。
【００６６】
なお、図１乃至図９を用いて説明した上記各実施形態の構成及び処理は、本発明の一例に過ぎず、本発明を当該構成及び処理に限定する趣旨ではない。
【符号の説明】
【００６７】
１０    情報処理装置
１１    表示部
１２    タッチパネル
１３    ネットワーク通信部
１４    記憶部
１５    近距離通信部
１６    制御ユニット
２１    制御部
２４    通信制御部
２５    スクリーンショット実行部
２６    オンキー
２７    スクリーンショットキー
３０    画像形成装置
３１    制御ユニット
３２    表示部
３４    操作部
３５    ネットワーク通信部
３６    近距離通信部
３７    画像読取部
３８    画像形成部
３９    記憶部
４１    制御部
４４    通信制御部
【図１】
0006465072.tif 000002
【図２】
0006465072.tif 000003
【図３Ａ】
0006465072.tif 000004
【図３Ｂ】
0006465072.tif 000005
【図４】
0006465072.tif 000006
【図５】
0006465072.tif 000007
【図６】
0006465072.tif 000008
【図７】
0006465072.tif 000009
【図８】
0006465072.tif 000010
【図９】
0006465072.tif 000011